(57)【特許請求の範囲】
【請求項１】
１つの表示パネルと、該表示パネルに表示させる映像の映像信号を複数のケーブルに分けて入力するための複数の入力端子とを備え、前記表示パネルに表示させる映像の映像信号を出力するソース機器に前記複数のケーブルで接続可能な表示装置であって、
前記表示パネルの表示領域を前記ケーブルの数と同じ数になるように分割してなる分割表示領域でそれぞれ異なる色を有するテスト画像を示す複数の映像信号を、それぞれ前記複数のケーブルを介して前記ソース機器から受信したとき、受信した前記テスト画像に応じて、前記ケーブルの差し替えをユーザに促すＯＳＤ画像を、前記表示パネルに表示させるＯＳＤ処理部を備えたことを特徴とする表示装置。
【請求項２】
前記ソース機器から前記複数のケーブルを介して受信したそれぞれの映像信号に対し、前記テスト画像の色を検出する検出部を備え、
前記ＯＳＤ処理部は、受信した前記テスト画像について前記検出部で検出されたそれぞれの色が所定の配列となるような前記ケーブルの差し替えをユーザに促すガイド画像を、前記ＯＳＤ画像として表示させることを特徴とする請求項１に記載の表示装置。
【請求項３】
前記ＯＳＤ処理部は、前記ＯＳＤ画像として、前記分割表示領域のそれぞれに所定の配列が示す色の画像であって前記分割表示領域より小さい画像を表示させると共に、前記分割表示領域のそれぞれに表示された前記テスト画像の色と前記小さい画像の色とが一致するように前記ケーブルの差し替えを行うことをユーザに促すガイド画像を表示させることを特徴とする請求項１に記載の表示装置。
【請求項４】
前記ケーブルはＨＤＭＩケーブルであり、前記入力端子はＨＤＭＩ入力端子であることを特徴とする請求項１〜３のいずれか１項に記載の表示装置。
【発明の詳細な説明】
【技術分野】
【０００１】
本発明は、表示装置に関し、より詳細には、表示パネルを備えケーブルからの映像入力が可能な表示装置に関する。
【背景技術】
【０００２】
現在、表示装置としては、画素数が１９２０×１０８０の所謂ＨＤ（High Definition）が主流となっている。一方で、より高精細な表示装置の需要も高まっており、４Ｋ２Ｋの映像や、ＨＤの１６倍の画素数（７６８０×４３２０画素）をもつスーパーハイビジョン映像を表示するためのテレビ装置の開発も盛んになってきている。なお、４Ｋ２Ｋとは、デジタルシネマの標準規格で定められている４Ｋ（４０９６×２１６０画素）や、ＨＤの４倍の画素数（３８４０×２１６０画素）を持つＱＦＨＤ（Quad Full High Definition）を指す。
【０００３】
また、表示装置では、外部のソース機器とＨＤＭＩ（High-Definition Multimedia Interface）（登録商標）ケーブルで接続することで、そのソース機器から映像信号を入力し、表示させることが可能となっている。しかし、現状のＨＤＭＩ規格は基本的にＨＤ以下の解像度の映像を表示することを前提としている。より具体的には、１本のＨＤＭＩケーブルでスーパーハイビジョンの映像を伝送して再生させることは、最新のＨＤＭＩ規格であるＨＤＭＩバージョン１．４ではできない。また、ＨＤＭＩバージョン１．４では、４Ｋ２Ｋの映像について、３８４０×２１６０画素及び３０Ｈｚ／２５Ｈｚ／２４Ｈｚのフォーマット、若しくは４０９６×２１６０画素及び２４Ｈｚのフォーマットに対応しているが、６０Ｈｚには対応していない。従って、１本のＨＤＭＩケーブルを用い、例えばパーソナルコンピュータ（ＰＣ）などで４Ｋ２Ｋの映像に設定してウィンドウにおいて６０Ｈｚの映像を再生しようとすると、駒落ちが発生してスムーズさに欠けることになる。
【０００４】
このように、１本のＨＤＭＩケーブルを用いて４Ｋ２Ｋやスーパーハイビジョンの映像をソース機器から読み出して再生することは基本的にできず、そのような再生のためには、複数本のＨＤＭＩケーブルでの接続が必要となる。例えば、４Ｋ２Ｋの映像を表示する表示装置ではＨＤＭＩケーブルが４本必要となり、スーパーハイビジョンの映像を表示する表示装置ではＨＤＭＩケーブルが１６本必要となり、高精細な表示装置ほど、接続に必要なＨＤＭＩケーブルの数が非常に多くなってしまう。その他、複数のソース機器からの複数の映像信号によるマルチ画面表示が可能な表示装置についても、接続に必要なＨＤＭＩケーブルの数が非常に多くなってしまう。
【０００５】
ここで、ＨＤＭＩケーブルを正しく接続しないと、分割表示領域に表示させる映像同士が一部又は全部入れ替わったような映像、つまり表示画面の一部又は全部がずれたような映像が表示されることになるため、接続には取扱説明書を熟読しながら行うなど細心の注意をはらう必要がある。無論、より高速なケーブルの規格ができれば、このような問題は解消されるが当面、ＨＤＭＩケーブルでの接続が主力となる。
【０００６】
特許文献１には、複数のディスプレイを接続し、高解像度な１台のディスプレイに見せるディスプレイシステムが開示されている。このディスプレイシステムでは、複数のディスプレイをディスプレイ共用ボックスに接続し、ＰＣ本体に専用ボードを差し、そのディスプレイ共用ボックスを接続している。そして、専用ボードはＰＣ本体のＯＳ（Operating System）に複数のディスプレイを１台のディスプレイのように見せると共にＯＳからの情報をディスプレイ共用ボックスに通知し、ディスプレイ共用ボックスはＯＳの情報をどのディスプレイに表示するかを判断し、各ディスプレイにそれぞれデータを渡すようにしている。
【先行技術文献】
【特許文献】
【０００７】
【特許文献１】特開平９−２９２８６８号公報
【発明の概要】
【発明が解決しようとする課題】
【０００８】
上述のように、従来の技術では、ソース機器との接続に必要なＨＤＭＩケーブルの数が複数である場合、ＨＤＭＩケーブルを正しく接続しないと表示画面の一部又は全部がずれたような映像が表示されてしまうため、接続には細心の注意をはらう必要がある。
【０００９】
無論、ＨＤＭＩケーブルが４本など比較的少ない場合には、ＨＤＭＩケーブルを繋いで表示される映像を見ながら差し替え、正しい接続にすることができる。しかしながら、比較的少ないケーブル数であっても、ユーザが何の示唆もないまま適当に差し替えを行うと誤接続が連続する可能性もあり、手間がかかる。さらに、ＨＤＭＩケーブルが１６本など比較的多い場合には、手間がかかり過ぎるため、ＨＤＭＩケーブルの形状を異ならせるか、若しくはコネクタに番号を振る、若しくはコネクタを色違いにするなど、外観を異ならせるような改良が必須となる。
【００１０】
また、特許文献１に記載の技術は、複数のディスプレイのディスプレイ共用ボックスへの接続が正しくなされていることを前提としたものであり、誤接続されていた場合には同様の問題が発生する。さらに、特許文献１に記載の技術は、ＨＤＭＩコネクタの接続に関するものではない。
また、上述のような問題は、ＨＤＭＩケーブルでの接続に限らず、他の規格のケーブルでの接続においても同様に生じ得る。
【００１１】
本発明は、上述のような実状に鑑みてなされたものであり、その目的は、ソース機器との接続に複数のケーブルが必要な表示装置において、同じ外観のケーブルを用いても、ケーブルを容易に正しく接続することを可能にすることにある。
【課題を解決するための手段】
【００１２】
上記課題を解決するために、本発明の第１の技術手段は、１つの表示パネルと、該表示パネルに表示させる映像の映像信号を複数のケーブルに分けて入力するための複数の入力端子とを備え、前記表示パネルに表示させる映像の映像信号を出力するソース機器に前記複数のケーブルで接続可能な表示装置であって、前記表示パネルの表示領域を前記ケーブルの数と同じ数になるように分割してなる分割表示領域でそれぞれ異なる色を有するテスト画像を示す複数の映像信号を、それぞれ前記複数のケーブルを介して前記ソース機器から受信したとき、受信した前記テスト画像に応じて、前記ケーブルの差し替えをユーザに促すＯＳＤ画像を、前記表示パネルに表示させるＯＳＤ処理部を備えたことを特徴としたものである。
【００１３】
第２の技術手段は、第１の技術手段において、前記ソース機器から前記複数のケーブルを介して受信したそれぞれの映像信号に対し、前記テスト画像の色を検出する検出部を備え、前記ＯＳＤ処理部は、受信した前記テスト画像について前記検出部で検出されたそれぞれの色が所定の配列となるような前記ケーブルの差し替えをユーザに促すガイド画像を、前記ＯＳＤ画像として表示させることを特徴としたものである。
【００１４】
第３の技術手段は、第１の技術手段において、前記ＯＳＤ処理部は、前記ＯＳＤ画像として、前記分割表示領域のそれぞれに所定の配列が示す色の画像であって前記分割表示領域より小さい画像を表示させると共に、前記分割表示領域のそれぞれに表示された前記テスト画像の色と前記小さい画像の色とが一致するように前記ケーブルの差し替えを行うことをユーザに促すガイド画像を表示させることを特徴としたものである。
【００１５】
第４の技術手段は、第１〜第３のいずれか１の技術手段において、前記ケーブルはＨＤＭＩケーブルであり、前記入力端子はＨＤＭＩ入力端子であることを特徴としたものである。
【発明の効果】
【００１６】
本発明によれば、ソース機器との接続に複数のケーブルが必要な表示装置において、同じ外観のケーブルを用いても、ケーブルを容易に正しく接続することが可能になる。
【図面の簡単な説明】
【００１７】
【図１】本発明に係る表示装置の接続形態の一例を示す図である。
【図２】本発明に係る表示装置の一構成例を示す機能ブロック図である。
【図３】図２の表示装置に具備されるＯＳＤ処理部によるＯＳＤ処理の一例を説明するための模式図である。
【図４】図３のＯＳＤ処理を説明するためのフロー図である。
【図５】図２の表示装置に具備されるＯＳＤ処理部によるＯＳＤ処理の他の例を説明するための模式図である。
【図６】本発明に係る表示装置の接続形態の一例を示す図で、図１とは異なる画面配置を説明するための図である。
【発明を実施するための形態】
【００１８】
以下、図面を参照しながら、ソース機器から出力された４Ｋ２Ｋの映像を表示装置で表示するシステムについて説明するが、スーパーハイビジョン等の映像を表示する表示装置やマルチ画面表示に対応した表示装置を備えたシステムについても、基本的に同様に説明でき、必要となるケーブルの数が異なり、それに応じて処理が変わるだけである。例えば、４Ｋ２Ｋの映像を２つのソース機器から入力して２画面表示する場合には、８本のＨＤＭＩケーブルが必要になる。また、本発明は、現状ではＨＤＭＩ規格での接続に最も有益であるため、ＨＤＭＩ規格を前提に以下の説明を行うが、他の規格であっても同様に適用できる。また、以下の説明では音声出力について特に説明しないが、音声信号が映像信号と関連付けられて表示装置側に入力され、映像信号と同期した状態で音声出力される。
【００１９】
図１は、本発明に係る表示装置の接続形態の一例を示す図である。
本発明に係る表示装置１００は、１つの表示パネル１０と、表示パネル１０に表示させる映像の映像信号を、複数のＨＤＭＩケーブルに分けて入力するための複数のＨＤＭＩ入力端子（複数のＨＤＭＩケーブルのそれぞれを接続するための複数のＨＤＭＩ入力端子）とを備える。そして、表示装置１００は、表示パネル１０に表示させる映像の映像信号を出力するソース機器１０１に、複数のＨＤＭＩケーブルで接続可能となっている。つまり、表示装置１００は、ソース機器１０１から、１つの表示パネル１０に表示させる映像の映像信号を複数のＨＤＭＩケーブルに分けて受信する装置である。ソース機器１０１としては、例えばレコーダ機器、ディスク再生機器、ＰＣなどが該当する。
【００２０】
この例では、４Ｋ２Ｋの映像の一画面表示を想定しているため、上記複数のＨＤＭＩケーブルとしては４本のＨＤＭＩケーブル１０２ａ〜１０２ｄが採用できる。また、上記複数のＨＤＭＩケーブルのそれぞれでは、表示パネル１０の画面に表示させる映像を基本的に均等に分割（図１の例では４分割）した分割映像の映像信号が並列で伝送されることになる。
【００２１】
そして、表示装置１００は、その主たる特徴として次のＯＳＤ（On Screen Display）処理部を備える。このＯＳＤ処理部は、表示パネル１０の表示領域をＨＤＭＩケーブル１０２ａ〜１０２ｄの数と同じ数になるように分割してなる分割表示領域（この例では４つの分割表示領域）でそれぞれ異なる色を有するテスト画像（テストパターン画像）を示す複数の映像信号を、それぞれ４本のＨＤＭＩケーブル１０２ａ〜１０２ｄを介してソース機器１０１から受信したとき、後述のＯＳＤ画像を表示パネル１０に（重畳して）表示させる。
【００２２】
そのため、ソース機器１０１は、４本のＨＤＭＩケーブル１０２ａ〜１０２ｄを介して送信する４Ｋ２Ｋ映像の映像信号として、分割表示領域でそれぞれ異なる色を有するテスト画像を表示するための映像信号を送信する必要がある。この映像信号は、４本のＨＤＭＩケーブル１０２ａ〜１０２ｄのそれぞれを介して送信する１／４映像が４つとも異なる色を有するようなテスト画像の信号を指す。
【００２３】
また、ＯＳＤ処理部での処理により表示させるＯＳＤ画像は、受信したテスト画像に応じて、ＨＤＭＩケーブル１０２ａ〜１０２ｄの（ＨＤＭＩ入力端子又はソース機器側のＨＤＭＩ出力端子での）差し替えをユーザに促すＯＳＤ画像である。つまり、ＯＳＤ処理部は、４つのＨＤＭＩ入力端子から入力されたテスト画像に応じて、ＨＤＭＩケーブル１０２ａ〜１０２ｄを差し替えるためのガイド画面をＯＳＤ表示させる。
【００２４】
なお、ＨＤＭＩケーブル１０２ａ〜１０２ｄの差し替えの方法としては、ＨＤＭＩ入力端子での差し替えとソース機器側のＨＤＭＩ出力端子での差し替えとがあるが、いずれの方法を促してもよい。但し、以下の説明では簡略化のためＨＤＭＩ入力端子での差し替えをユーザに促す例を挙げて説明する。
【００２５】
以下、図２等を併せて参照しながら表示装置１００の構成例について説明する。図２は、本発明に係る表示装置の一構成例を示す機能ブロック図であり、各機能は１又は複数個のＬＳＩ（Large Scale Integrated Circuit）やＦＰＧＡ（Field Programmable Gate Array）で構成される。なお、以下ではＳｏＣ（System on a Chip）を用いた例を挙げているが、これに限ったものではなく、例えばその代わりにＳｉＰ（System In Package）を用いてもよい。
【００２６】
図２で例示する表示装置１００は、４Ｋ２Ｋ映像を表示する表示パネル１０に加えて、制御部１、ＯＳＤ処理部２、ＯＳＤ変換部３、４つのＨＤＭＩ入力端子４ａ〜４ｄ、マルチウィンドウ制御部５、アップスケーリング部６、画質補正部７、ＦＲＣ（Frame Rate Control）部８、及びタイミング生成部９を備える。
【００２７】
制御部１は、メインのＳｏＣ１１を有すると共に、映像入力インターフェースとして、ＵＳＢ（Universal Serial Bus）ケーブルを接続するためのＵＳＢ端子１２、ＬＡＮ接続するためのＥｔｈｅｒｎｅｔ（登録商標）接続端子１３、ＷｉＦｉ（登録商標）対応機器との通信を行うためのＷｉＦｉ通信機器１４、ＨＤＭＩ入力端子１５、放送波を受信して復調するチューナ１６、及びＳＡＴＡ（Serial AT Attachment）インターフェース１７などを備える。
【００２８】
ＳＡＴＡインターフェース１７は、ＢＤ（Blu-ray Disc）やＤＶＤ（Digital Versatile Disc）などの可搬記録媒体の読み取り装置（図示せず）を接続するためのインターフェースの一例である。ＨＤＭＩ入力端子１５は、４Ｋ２Ｋ用の４つのＨＤＭＩ入力端子４ａ〜４ｄとは別に、フルＨＤ（ＦＨＤ）の映像をＨＤＭＩケーブルから入力するための端子である。ＨＤＭＩ入力端子４ａ〜４ｄやＨＤＭＩ入力端子１５は、ＣＥＣ（Consumer Electronics Control）メッセージだけでなく、ＨＤＭＩ規格のＨＥＣ（HDMI Ethernet Channel）メッセージの送受も可能となっていること、つまりＨＤＭＩバージョン１．４以降に対応していることが好ましい。なお、ＣＥＣメッセージには様々なベンダコマンドを含めることができる。
【００２９】
制御部１は、ＳｏＣ１１が主体となり、操作信号やデフォルトの映像入力設定（前回電源オフ前に入力していた映像など）等に従い、映像入力インターフェースのいずれかからＦＨＤの映像信号を入力し、マルチウィンドウ制御部５に出力する処理を行う。なお、操作信号は、図示しないが、表示装置１００本体に設けられた操作部で受け付けた操作信号や、表示装置１００用のリモートコントローラから受信した操作信号が該当する。
【００３０】
ＯＳＤ処理部２は、サブのＳｏＣ２１を有し、ＦＨＤ用のＯＳＤ画像を生成する。ＯＳＤ画像の生成自体は、図示しないメモリに記憶された文字や図形を利用するなど既知の技術を利用すればよい。ＯＳＤ処理部２は、例えば所謂、ＲＳ２３２Ｃやその改訂版の規格に準じ、シリアル通信方式で制御部１との通信が可能となっており、制御部１のＳｏＣ１１により制御される。なお、映像入力インターフェースのいずれか１又は複数は、ＳｏＣ２１側に接続され、ＳｏＣ２１の制御により映像入力を行って、ＲＳ２３２Ｃを介したＳｏＣ１１の制御によりマルチウィンドウ制御部５に映像信号を送信するように構成してもよい。また、ＳｏＣ２１は、４Ｋ２Ｋの映像に関する制御全体を担うように構成してもよい。
【００３１】
特に本発明の主たる特徴として前述したように、ＯＳＤ処理部２は、上記テスト画像を示す複数の映像信号を、それぞれ４本のＨＤＭＩケーブル１０２ａ〜１０２ｄを介してソース機器１０１から受信したとき、受信したテスト画像に応じて、ＨＤＭＩケーブル１０２ａ〜１０２ｄの差し替えをユーザに促すＯＳＤ画像を、表示パネル１０に表示させる。
【００３２】
ＯＳＤ変換部３は、ＳｏＣ２１から出力されたＦＨＤのＯＳＤ画像を変換し、画質補正部７に送る。ＯＳＤ画像の変換方法としては、ＦＨＤのＯＳＤ画像をスケーリングして４Ｋ２Ｋ用のＯＳＤ画像に変換するか、若しくは、４Ｋ２Ｋの画像の１／４を４回送信し、これをメモリして４Ｋ２ＫのＯＳＤ画像に変換すればよい。なお、ＯＳＤ変換部３をＯＳＤ処理部２と別に設けているが、ＯＳＤ変換部３を設けずに、最初から４Ｋ２Ｋ用のＯＳＤ画像をＯＳＤ処理部２で生成して、画質補正部７に出力するように構成してもよい。
【００３３】
４つのＨＤＭＩ入力端子４ａ〜４ｄとは、４本のＨＤＭＩケーブル（図１のケーブル１０２ａ〜１０２ｄ）のそれぞれを接続するためのＨＤＭＩ入力端子であり、図２で例示したようにＨＤＭＩケーブルの本数に対応した数だけ設けられていればよい。なお、各ＨＤＭＩ入力端子４ａ〜４ｄには映像入力のためのＨＤＭＩレシーバだけでなく、ＣＥＣインターフェース、若しくはＣＥＣインターフェース及びＬＡＮインターフェースなどが含まれるが、別に設けておいてもよい。また、ＨＤＭＩ入力端子４ａ〜４ｄは、それぞれ表示パネル１０における分割表示領域の表示素子群の端子と接続されている。ＨＤＭＩ入力端子とこの表示素子群の端子とは一対一に対応している。つまり、この表示素子群の端子は、分割映像入力を行うＨＤＭＩケーブルの本数（ＨＤＭＩ入力端子４ａ〜４ｄの個数）に対応した数だけ設けられており、この例では４つとなる。
【００３４】
マルチウィンドウ制御部５は、制御部１からＦＨＤの映像を入力すること、並びにＨＤＭＩ入力端子４ａ〜４ｄからネイティブの４Ｋ２Ｋの映像を入力することが可能となっており、操作信号やデフォルトの映像入力設定に従い、複数のＦＨＤ映像や４Ｋ２Ｋ映像のマルチウィンドウ合成処理（マルチ画面表示のための合成処理）を行うと共に、各ウィンドウに対応する映像信号の同期化を行う。よって、マルチウィンドウ制御部５は、制御部１における複数の映像入力インターフェースからの映像入力によりマルチウィンドウを合成して１つのＦＨＤ映像を構成する制御（若しくは４つのＦＨＤ映像から４Ｋ２Ｋ映像を構成する制御）や、ＨＤＭＩ入力端子４ａ〜４ｄから並列して入力された４Ｋ２Ｋ用の１／４の映像を合成して４Ｋ２Ｋ映像を構成する制御も行う。また、マルチウィンドウ制御部５では、マルチウィンドウ合成処理を行わずに、制御部１からの１つのＦＨＤ映像を後段に出力することもできる。
【００３５】
アップスケーリング部６は、マルチウィンドウ制御部５から出力されたＦＨＤ映像に対し、４Ｋ２Ｋ用の表示パネル１０での表示のためにアップスケーリングを行い、後段に出力する。マルチウィンドウ制御部５から４Ｋ２Ｋ映像が出力されてきた場合には、アップスケーリング部６は処理を行わずに後段に出力すればよい。
【００３６】
画質補正部７は、アップスケーリング部６から入力された４Ｋ２Ｋ映像に対して、ガンマやユーザ調整に応じた補正などを行うと共に、ＯＳＤ変換部３から出力されたＯＳＤ画像の重畳も行う。なお、画質補正部７では、ＯＳＤ画像を重畳した後の映像に対して補正を施すようにしてもよい。
【００３７】
ＦＲＣ部８は、画質補正部７から出力された映像フレームをｋ倍速に変換して、タイミング生成部９に出力する。ここで、ｋは正の整数に限らず、正の実数であればよい。無論、ＦＲＣ部８は設けなくても画質補正部７から出力されたままの映像フレームをタイミング生成部９に出力してもよい。タイミング生成部９は、４Ｋ２Ｋ用の表示パネル１０に対してのタイミングをとるためのパルスを生成するブロックであり、所謂、ＴＣＯＮ（Timing Controller）である。表示パネル１０では、このパルスに従い、４Ｋ２Ｋ映像を表示する。表示パネル１０としては、液晶や有機ＥＬなどの表示素子で構成されたパネルを用いることができるが、これに限ったものではない。
【００３８】
以下、表示装置１００における主にＯＳＤ処理部２が実行するＯＳＤ処理の様々な例を、図３〜図５を参照しながら説明する。
【００３９】
まず、図３及び図４を参照しながら、図２の表示装置１００に具備されるＯＳＤ処理部２によるＯＳＤ処理の一例を説明する。図３は、ＯＳＤ処理部２によるＯＳＤ処理の一例を説明するための模式図で、図４は、図３のＯＳＤ処理を説明するためのフロー図である。
【００４０】
図３で例示するように、ここで説明する構成例の表示装置１００は、４つの画素値検出部５１ａ〜５１ｄを備える。画素値検出部５１ａ〜５１ｄは、ソース機器から４本のＨＤＭＩケーブルを介して受信したそれぞれの映像信号（分割表示領域に対応する映像信号）に対し、テスト画像の色（単に輝度でもよい）を検出する検出部の一例である。画素値検出部５１ａ〜５１ｄは、ＨＤＭＩ入力端子４ａ〜４ｄのそれぞれを経由して入力された映像信号が示す画素値を検出し、結果的にその映像信号が示す色を検出することが可能になっている。１／４テスト画像としてベタ画像を用いることで、分割表示領域に対応する映像信号のどの画素値で検出しても同じ検出結果が得られる。また、この例では、ＨＤＭＩ入力端子４ａ〜４ｄにはそれぞれ画素値検出部５１ａ〜５１ｄを介して分割表示領域１０ａ〜１０ｄ用の端子が接続されている。
【００４１】
この構成例におけるＯＳＤ処理部２は、受信したテスト画像について画素値検出部５１ａ〜５１ｄで検出されたそれぞれの色が所定の配列となるようなＨＤＭＩケーブルの差し替えをユーザに促すガイド画像を、上記ＯＳＤ画像として表示させる。そのため、ＯＳＤ処理部２は、画素値検出部５１ａ〜５１ｄからそれぞれＨＤＭＩ入力端子４ａ〜４ｄを経由して入力された映像信号の色を検出した結果を受け取り、色を検出した結果に基づき、ガイド画像を生成する。ここで、上記所定の配列とは、基本的に、ソース機器で出力対象となった元の４Ｋ２Ｋ映像と同じ配列を指す。
【００４２】
図３では、このようなガイド画像として、「ＨＤＭＩ １に接続しているケーブルをＨＤＭＩ Ｘに差し直してください」といったメッセージを含むガイド画像２２を表示させている。なお、ここで例えばＨＤＭＩ ＸのＸはＨＤＭＩ入力端子４ａ〜４ｄ（ＨＤＭＩコネクタ）の配置順序などを表している。このようなガイド画像に従った差し替えをユーザが行うことにより、ＨＤＭＩ入力端子４ａ〜４ｄからの１／４テスト画像を４つ、所定の配列で合成した４Ｋ２Ｋ映像を、表示パネル１０で表示させることができる。
【００４３】
具体例を挙げると、ソース機器側で送信する４Ｋ２Ｋテスト画像としては、縦横均等に２分割して（田の字型に）４分割で送信する場合、例えば左上を赤色のベタ画像、右上を緑色のベタ画像、左下を青色のベタ画像、右下を白色のベタ画像と決めておけばよい。そして、受信側である表示装置１００でもその配列を記憶させておき、各ベタ画像の色を検出して、予め記憶された配列と異なればガイド画像を表示し、同じであればケーブル接続が完了した旨の表示を短期間表示するなどすればよい。
【００４４】
ここで、ＨＤＭＩ入力端子４ａから緑色のベタ画像であるＨＤＭＩ入力Ｂの映像が入力され、ＨＤＭＩ入力端子４ｂから赤色のベタ画像であるＨＤＭＩ入力Ａの映像が入力され、ＨＤＭＩ入力端子４ｃから青色のベタ画像であるＨＤＭＩ入力Ｃの映像が入力され、ＨＤＭＩ入力端子４ｄから白色のベタ画像であるＨＤＭＩ入力Ｄの映像が入力された場合を想定する。
【００４５】
この場合、画素値検出部５１ａでは緑色、画素値検出部５１ｂでは赤色、画素値検出部５１ｃでは青色、画素値検出部５１ｄでは白色が検出され、これらの検出結果を受けたＯＳＤ処理部２が、上記所定の配列と比較し、一致していない部分を指摘するようなガイド画像を表示する。
【００４６】
この例では、ＨＤＭＩ入力端子４ａへの入力とＨＤＭＩ入力端子４ｂへの入力が誤って入れ替わった状態（逆）になっているため、それらを入れ替えるようなガイド画像を表示するか、若しくは図３のガイド画像２２のように「ＨＤＭＩ １に接続しているケーブルをＨＤＭＩ ２に差し直してください」などと記したガイド画像を表示すればよい。いずれのガイド画像でも、図３において表示パネル１０の各分割表示領域１０ａ，１０ｂ，１０ｃ，１０ｄがそれぞれ赤、緑、青、白色のベタ画像となるようなＨＤＭＩケーブルの差し替えを、ユーザに促すことができる。ガイド画像は、全ての差し替えについて完全になるまでの手順を記してもよいし、１つの手順だけ示し、それに従った差し替えが完了したら、再度画素値検出に応じたＯＳＤ処理を実行し、次の手順を示す、といった具合に順番に表示していってもよい。
【００４７】
また、ガイド画像には、表示装置１００におけるＨＤＭＩ入力端子の配置の模式図も含めておくことで、どのＨＤＭＩケーブルを抜いて何処に差すのかがより分かり易くなる。
【００４８】
また、図３では、ベタ画像は分割表示領域の大きさに合ったもので例示したが、分割表示領域より小さい領域の大きさだけであってもよく、例えば分割表示領域の上端、下端、右端、左端のいずれか１又は複数や分割表示領域の四隅のいずれか１又は複数に対応するような小さな領域であってもよい。その場合、１／４テスト画像におけるベタ画像の位置を予め決めておき、画素値検出部５１ａ〜５１ｄではその位置の画素値を検出するようにしておけばよい。
【００４９】
また、図３で例示したような差し替えを促すＯＳＤ画像の表示処理は、基本的に電源オン中にＨＤＭＩケーブルが挿入されたときに行えばよい。但し、図１のソース機器１０１が、表示装置１００で差し替えを促すＯＳＤ画像の表示処理を実行する際に表示装置１００に対してテスト画像の自動送信を行うように構成されている場合に限る。
【００５０】
しかし、ソース機器１０１は、このような表示装置１００で差し替えを促すＯＳＤ画像の表示処理を実行する際にテスト画像を自動送信するように構成されている機器（対応機器）に限ったものではない。例えば、ソース機器１０１において、テスト画像を読み出し可能に格納したＢＤやＤＶＤ等のディスクを装着し、そのテスト画像を読み出すユーザ操作を行うことで、テスト画像の表示装置１００への入力は可能である。また、ソース機器１０１において、搭載されたハードディスクドライブ（ＨＤＤ）にファイルとして格納されているテスト画像を読み出すようなユーザ操作や、ネットワークを介してサーバ装置などにファイルとして格納されているテスト画像を読み出すようなユーザ操作を行うことでも、テスト画像の表示装置１００への入力は可能である。
【００５１】
いずれの方法でユーザ操作を行う場合でも、表示装置１００の電源オン中にユーザがＨＤＭＩケーブルの挿入を完了したときに、若しくはユーザがＨＤＭＩケーブルの挿入を完了してから表示装置１００の電源をオンした状態で、若しくはユーザがＨＤＭＩケーブルの挿入が未完了の状態で且つ表示装置１００の電源をオンした状態で、このユーザ操作をソース機器１０１に対して実行すればよい。そして、このユーザ操作を受けたソース機器１０１では、差し替えを促すＯＳＤ画像の表示処理を実行するためのＣＥＣメッセージ又はＨＥＣメッセージを表示装置１００に送出し、それを表示装置１００が検出することでこの表示処理を実行すればよい。若しくはこのユーザ操作を行った後に表示装置１００側でこの表示処理を実行するための所定のユーザ操作を行うことでも、この表示処理を実行できる。
【００５２】
次に、図４で示すフロー図を参照しながら、図３のＯＳＤ処理の一例を説明する。ここでは、Ｑ＆Ａ方式のように、ユーザにＨＤＭＩケーブルを１本づつ接続してもらい、テスト画像の色により合っているか否かをチェックして全てのＨＤＭＩケーブルが正しく接続されるまで行う例を挙げる。
【００５３】
まず、ＯＳＤ処理部２は、ＨＤＭＩ入力端子４ａ〜４ｄのＩＤを表すｉを１に設定し、図１のソース機器１０１のＨＤＭＩ出力端子のＩＤを表すｊを１に設定する（ステップＳ１）。次に、ＯＳＤ処理部２は、「ソースのＨＤＭＩ ｊに接続しているＨＤＭＩケーブルを、ＨＤＭＩ ｉに差してください」といったガイド画像を表示させる（ステップＳ２）。
【００５４】
続いて、ＯＳＤ処理部２が画素値検出部５１ａ〜５１ｄに画素値検出を指示し、画素値検出部５１ａ〜５１ｄが映像信号の所定位置の画素値（若しくは映像信号の平均値など）を検出し、その検出結果をＯＳＤ処理部２に返す（ステップＳ３）。検出結果は画素値として得られ、その画素値は色を表していると言える。そして、ＯＳＤ処理部２は、この画素値が予め定められた値（例えばｊに予め関連づけられた値）と合っているか否かを判定する（ステップＳ４）。
【００５５】
ステップＳ４で合っていなければ（ＮＯの場合）、ＯＳＤ処理部２は、「ソースのＨＤＭＩ Ｙに差しているＨＤＭＩケーブルを、ＨＤＭＩ ｉに差し直してください」といったガイド画像を表示させる（ステップＳ７）。ステップＳ７の後は、ステップＳ３に戻り、画素値が合うまでステップＳ７の表示を行う。ここで、「Ｙ」は、ステップＳ４の処理と共に、他のＨＤＭＩ入力端子（ＨＤＭＩ ｋとする。ｋ≠ｉ）に対して予め定められた値とステップＳ３で検出された画素値とが合っているかもチェックし、ステップＳ３で検出された画素値と合っているｋを求め、そのｋをＹとすればよい。従って、ステップＳ７の処理後に再度間違えて差し替えても、それに合ったガイド画像を表示できる。
【００５６】
一方、ステップＳ４で合っていれば（ＹＥＳの場合）、ｉ，ｊをインクリメントして（ステップＳ５）、ｉ≧５か否かを判定する（ステップＳ６）。ステップＳ６でＮＯの場合、ステップＳ２に戻り、ステップＳ６でＹＥＳの場合、４Ｋ２Ｋ映像用の全てのＨＤＭＩケーブルが接続されていることを意味するため、処理を終了する。
【００５７】
このようにして、ステップＳ６でＹＥＳとなった段階では、ＨＤＭＩケーブルが正しく、つまり上記所定の配列で接続されており、元の４Ｋ２Ｋテスト画像が正しく表示パネル１０に表示されていることになる。従って、テスト画像でなくても通常の４Ｋ２Ｋ映像も適切な位置に配され正しく表示できる。
【００５８】
次に、図５を参照しながら、図２の表示装置１００に具備されるＯＳＤ処理部２によるＯＳＤ処理の他の例を説明する。図５は、ＯＳＤ処理部２によるＯＳＤ処理の他の例を説明するための模式図である。
【００５９】
図５で説明する構成例の表示装置は、図３のように画素値検出部５１ａ〜５１ｄを必要としない。この構成例におけるＯＳＤ処理部２は、ＯＳＤ画像として、分割表示領域１０ａ〜１０ｄのそれぞれに所定の配列が示す色（分割表示領域に対応する色）の画像であってその分割表示領域より小さい画像２３ａ〜２３ｄを表示させる。ここでは好ましい例としてベタ画像を表示させた例を挙げている。
【００６０】
さらに、この構成例におけるＯＳＤ処理部２は、ＯＳＤ画像として、次のようなガイド画像２４を表示させる。このガイド画像２４は、分割表示領域のそれぞれに表示されたテスト画像（つまり１／４テスト画像）の色と上記小さい画像の色とが一致するようにＨＤＭＩケーブルの差し替えを行うことを、ユーザに促す画像である。
【００６１】
図５の例におけるガイド画像２４は、背景とウィンドウ（上記小さいベタ画像２３ａ〜２３ｄのことを指す）の色が合っているか否かを問いかけ、合うようにＨＤＭＩケーブルを差し直してＯＫを押すように指示するような画像となっている。ＨＤＭＩケーブルを差し直しただけの場合、小さいベタ画像２３ａ〜２３ｄの配色は同じであるが、差し直しにより分割表示領域１０ａ〜１０ｄに映像を入力するＨＤＭＩケーブルが変わるため、分割表示領域１０ａ〜１０ｄの配色は変わる。ユーザがＯＫに対応する操作を行った場合、その操作信号をＯＳＤ処理部２が受けると、ＯＳＤ処理部２はＯＳＤ画像の表示を終了する。
【００６２】
具体例を挙げると、ソース機器側で送信する４Ｋ２Ｋテスト画像としては、縦横均等に２分割して（田の字型に）４分割で送信する場合、例えば左上を赤色のベタ画像、右上を緑色のベタ画像、左下を青色のベタ画像、右下を白色のベタ画像と決めておき、それに合わせた配列で、各分割表示領域１０ａ〜１０ｄに小さい領域のベタ画像２３ａ〜２３ｄをＯＳＤ画像として表示するように予め用意しておけばよい。ＯＳＤ画像はＯＳＤ処理部２が生成するため、上記配列はＯＳＤ処理部２にて（少なくともＯＳＤ処理部２から読み出し可能なように）記憶させておけばよい。
【００６３】
ここで、ＨＤＭＩ入力端子４ａから青色のベタ画像であるＨＤＭＩ入力Ｃの映像が入力され、ＨＤＭＩ入力端子４ｂから赤色のベタ画像であるＨＤＭＩ入力Ａの映像が入力され、ＨＤＭＩ入力端子４ｃから緑色のベタ画像であるＨＤＭＩ入力Ｂの映像が入力され、ＨＤＭＩ入力端子４ｄから白色のベタ画像であるＨＤＭＩ入力Ｄの映像が入力された場合を想定する。
【００６４】
この場合、分割表示領域１０ａには青色のベタ画像に小さい赤色のベタ画像２３ａが重畳されて表示され、分割表示領域１０ｂには赤色のベタ画像に小さい緑色のベタ画像２３ｂが重畳されて表示され、分割表示領域１０ｃには緑色のベタ画像に小さい青色のベタ画像２３ｃが重畳されて表示され、分割表示領域１０ｄには白色のベタ画像に小さい白色のベタ画像２３ｄが重畳されて表示されることになる。
【００６５】
この例では、ＨＤＭＩ入力端子４ｄへの入力以外は誤ってＨＤＭＩケーブルが接続されている。ユーザはこれを分割表示領域１０ａ〜１０ｄと小さいベタ画像２３ａ〜２３ｄとの相違により理解し、誤接続を正すようにＨＤＭＩケーブルを差し直すことができる。
【００６６】
なお、分割表示領域１０ａ〜１０ｄに表示するベタ画像（赤色等のベタ画像）もＯＳＤ画像として生成することは可能である。画素値検出部５１ａ〜５１ｄは例えば赤色等を示す画素値をもった映像信号からその画素値を検出して、少なくとも１つＯＳＤ処理部２に渡し、ＯＳＤ処理部２がその画素値で分割画像領域と同じ大きさのベタ画像を生成し、そのベタ画像の中に小さいベタ画像やガイド画像を入れ込んで、重畳するＯＳＤ画像を構成すればよい。
【００６７】
また、図５で例示したような差し替えを促すＯＳＤ画像の表示処理は、基本的に電源オン中にＨＤＭＩケーブルが挿入されたときに行えばよい。但し、図１のソース機器１０１が、表示装置１００で差し替えを促すＯＳＤ画像の表示処理を実行する際に表示装置１０
０に対してテスト画像の自動送信を行うように構成されている場合に限る。
【００６８】
しかし、図５の構成例でも、図３の構成例と同様にソース機器１０１はこのような対応機器に限ったものではなく、ディスクやＨＤＤやサーバ装置に格納されたテスト画像を読み出すようなユーザ操作を行うことでも、テスト画像の表示装置１００への入力は可能である。いずれの方法でユーザ操作を行う場合でも、表示装置１００の電源オン中にユーザがＨＤＭＩケーブルの挿入を完了したときに、若しくはユーザがＨＤＭＩケーブルの挿入を完了してから表示装置１００の電源をオンした状態で、若しくはユーザがＨＤＭＩケーブルの挿入が未完了の状態で且つ表示装置１００の電源をオンした状態で、このユーザ操作をソース機器１０１に対して実行すればよい。そして、このユーザ操作を受けたソース機器１０１では、差し替えを促すＯＳＤ画像の表示処理を実行するためのＣＥＣメッセージ又はＨＥＣメッセージを表示装置１００に送出し、それを表示装置１００が検出することでこの表示処理を実行すればよい。若しくはこのユーザ操作を行った後に表示装置１００側でこの表示処理を実行するための所定のユーザ操作を行うことでも、この表示処理を実行できる。
【００６９】
以上、図１〜図５を参照した例では、複数のＨＤＭＩケーブルからの映像を分割表示させる際に、表示パネル１０の画面に図１のように田の字型に４分割して表示させることを前提に説明したが、分割数がこれに限ったものではないことは勿論、分割の方法もこれに限ったものではない。例えば、図６の表示パネル１０上での画面配置で示すように、くし形の四分割であってもよい。なお、図６は、図１と同様、本発明に係る表示装置の接続形態の一例を示す図であり、図１とは異なる画面配置を説明するための図である。
【００７０】
以上、図１〜図６を参照しながら説明したように、本発明に係る表示装置によれば、ソース機器との接続に複数のＨＤＭＩケーブルが必要な表示装置において、同じ外観のＨＤＭＩケーブルを用いても、分かり易いＯＳＤ画像の表示によりＨＤＭＩケーブルを容易に正しく接続することが可能になる。そして、本発明によれば、複数のＨＤＭＩケーブルでの映像伝送に対応しているため、例示した４Ｋ２Ｋやスーパーハイビジョンなど、ＦＨＤより高精細な映像をソース機器から入力して再生する処理を正しく実行することができる。また、ＨＤＭＩの接続を表示装置側で分かり易いＯＳＤ画像の表示によって並べ替えを示唆することで、ＨＤＭＩケーブルの接続を間違えるなどしても画面出力が異常にならず正常に見られ、接続が格段に楽になる。また、ＨＤＭＩケーブルに番号を刻印したり色を変えたりするような特別な物を用意しなくてもよいため、コストが嵩まない。
【００７１】
以上の図１〜図６を参照した説明では、表示パネル１０の表示領域とＨＤＭＩケーブルの数とを同じ数になるようにして説明してきたが、例えばＨＤＭＩ規格の変更等によりＨＤＭＩケーブルの伝送帯域が広がる可能性などがあるため、本発明はこれに限ったものではない。例えば、表示パネル１０の表示領域がＨＤＭＩケーブルの数より多くてもよいし、逆に少なくてもよい。
【００７２】
表示パネルの表示領域がＨＤＭＩケーブルの数より多い構成は、表示装置１００の内部で発生した映像信号を表示パネル１０の表示領域に表示するような場合に有用である。例えば、一部の表示領域のみに外部供給映像信号を表示し、他の表示領域は内部で発生させたブルーバックの映像を表示することもできる。
【００７３】
一方、表示パネル１０の表示領域がＨＤＭＩケーブルの数より少ない構成は、表示装置１００の外部から供給される映像信号の一部を表示させ、残りの一部は表示領域の切り換え等により表示するような場合に有用である。例えば、図１の表示パネル１０の４分割した領域のうち２領域について１本のＨＤＭＩケーブルからの映像信号をズーム表示（常時拡大表示）させ、残りの２領域についてはそれぞれ別のＨＤＭＩケーブルからの映像信号を表示させることもできる。また、表示パネルの表示領域がＨＤＭＩケーブルの数より少ない場合の他の例としては、ＨＤＭＩケーブルの伝送帯域が増加することを前提とするが、１本のＨＤＭＩケーブルで供給できる映像信号が複数の表示領域に対応するような場合が挙げられる。この場合、例えば１本のＨＤＭＩケーブルで２つの表示領域分の映像信号を供給すれば、４Ｋ２Ｋ映像信号を２本のＨＤＭＩケーブルで伝送することができる。
【００７４】
このように、図２で例示したような本発明に係る表示装置１００では、ＯＳＤ処理部２が、表示パネル１０の表示領域をＨＤＭＩケーブルの数と異なる所定数になるように分割してなる分割表示領域でそれぞれ異なる色を有するテスト画像を示す複数の映像信号を、それぞれ複数のＨＤＭＩケーブルを介してソース機器から受信したとき、受信したテスト画像に応じて、ＨＤＭＩケーブルの差し替えをユーザに促すＯＳＤ画像を、表示パネル１０に表示させるようにしてもよい。
【００７５】
最後に、表示装置においてマルチ画面表示を行う構成について、補足的に説明する。１台のソース機器からの映像を入力してマルチ画面（マルチウィンドウ）表示を行う表示装置では、上述した各構成例とＨＤＭＩ端子の数が異なる点が主に異なる。この場合、部分的なテスト画像の全てで重複色を避けるようにしておけば、１つのウィンドウ毎に上述した差し替えを促すＯＳＤ画像の表示処理を行ってもよいし、全てのウィンドウについて一括して上述した表示処理を行ってもよい。また、複数台のソース機器からの映像を入力してマルチ画面表示を行う表示装置では、上述した各構成例とＨＤＭＩ端子の数が異なる点と、テスト画像をソース機器について予め決めて登録しておく必要がある点が、主に異なる。その他の応用例や効果については、図１〜図６を参照しながら説明した構成例と基本的に同様である。
【符号の説明】
【００７６】
１…制御部、２…ＯＳＤ処理部、３…ＯＳＤ変換部、４ａ，４ｂ，４ｃ，４ｄ…ＨＤＭＩ入力端子、５…マルチウィンドウ制御部、６…アップスケーリング部、７…画質補正部、８…ＦＲＣ部、９…タイミング生成部、１０…表示パネル、１０ａ，１０ｂ，１０ｃ，１０ｄ…分割表示領域、１１…メインのＳｏＣ、１２…ＵＳＢ端子、１３…Ｅｔｈｅｒｎｅｔ接続端子、１４…ＷｉＦｉ通信機器、１５…ＨＤＭＩ入力端子、１６…チューナ、１７…ＳＡＴＡインターフェース、２１…サブのＳｏＣ、２２，２４…ガイド画像、２３ａ，２３ｂ，２３ｃ，２３ｄ…小さいベタ画像、５１ａ，５１ｂ，５１ｃ，５１ｄ…画素値検出部、１００…表示装置、１０１…ソース機器、１０２ａ，１０２ｂ，１０２ｃ，１０２ｄ…ＨＤＭＩケーブル。
【要約】
【課題】ソース機器との接続に複数のケーブルが必要な表示装置において、同じ外観のケーブルを用いても、ケーブルを容易に正しく接続することを可能にする。
【解決手段】表示装置１００は、１つの表示パネル１０と複数の入力端子とを備え、表示パネル１０に表示させる映像の映像信号を出力するソース機器１０１に、複数のケーブルで接続可能となっている。表示装置１００はＯＳＤ処理部を備える。このＯＳＤ処理部は、表示パネル１０の表示領域をケーブルの数と同じ数になるように分割してなる分割表示領域でそれぞれ異なる色を有するテスト画像を示す複数の映像信号を、それぞれ複数のケーブルを介してソース機器１０１から受信したとき、受信したテスト画像に応じて、ケーブルの差し替えをユーザに促すＯＳＤ画像を、表示パネル１０に表示させる。
【選択図】図１【図１】
0005144802.tif 000002
【図２】
0005144802.tif 000003
【図３】
0005144802.tif 000004
【図４】
0005144802.tif 000005
【図５】
0005144802.tif 000006
【図６】
0005144802.tif 000007